(57)【要約】【課題】この発明は、食料品の買い物時に使う薄いビニールシート袋を開け易くするために、お客さんの指先を簡単で衛生的に湿らせることができるミニ加湿器を提供しようとするものである。【解決手段】丸棒でＵ字状の加熱導体８の一端に円筒状の電気ヒータ９をかん合固定し、他端に円筒状の蒸発芯１０をかん合固定し一体化して、またケース１５内で発生する電気ヒータ９の放熱と加熱導体８の余熱はコーン１１で集め、空気フィルタ１３から加湿エア放出口１２に向く強い対流を生じるようにし、発生蒸気を確実に放出できるようにして、通風用の送風ファンを省く構成とした。【選択図】  図１
2004309100.tif 000002
【特許請求の範囲】
【請求項１】
（イ）長方形で立方体の水タンク１の側面板底部に、立方体で表面板に開口穴６を有する補助水タンク４を固着し、該水タンク１の底部にＬ字状の放水管５の一端を固着し、他端は該補助水タンク４の底面板に近接させる。
（ロ）Ｕ字状の加熱導体８の一端に電気ヒータ９をかん合固定し、他端には蒸発芯１０をかん合固定し、該電気ヒータ９が下部で該蒸発芯１０が上部で垂直位置になるようケース１５へ固着する。
（ハ）蒸発芯１０の下部一端には吸水芯７を取付け、開口穴６へ挿入固定する。
（ニ）ケース１５の表面板には加湿エア放出口１２を設け、側面板下部には空気フィルタ１３を設け、他側面等は水タンク１に固着する。
（ホ）加湿エア放出口１２の下部には蒸発芯１０に達し、周囲を覆うように角柱状で上部を絞ったコーン１１を固着する。
以上のように構成することを特徴とするミニ加湿器。
【発明の詳細な説明】
【０００１】
【発明の属する技術分野】この発明は、デパート、スーパー等の食料品売場で、購入後の単品を入れる薄いビニールシート袋の表裏が、巻付け圧力により密着していて開けにくいので、お客さんの指先に湿気を与えて、簡単で衛生的に開けられるようにしようとするミニ加湿器に関するものである。
【０００２】
【従来の技術】従来、お客さんが指先に湿気を与えられるように、湿りタオルが設置されておりますが、多くのお客さんで共用のため不潔感があり殆ど使用されず、たまには口の唾液を指先につける人もある等相当な苦労を強いられております。その解決に家庭用加湿器を使用することも考えられるが、蒸発量が大量で大型のため高価で、消費電力も大きいので維持費も高く、また現在売場へ設置の薄いビニールシート袋用ポストとも一体化できないので使用されていない。お客さんの不便さは読売系テレビ「伊東家の食卓」でも放送され（Ｈ１５．２．４）全国的な課題となっております。
【０００３】
【発明が解決しようとする課題】上記のような理由から、お客さんが指先を簡単で衛生的に湿らせることができる加湿器を要するが、現在の家庭用加湿器では、大量の水を電気ヒータで加熱したり、大型の加湿フィルターに送風ファンで熱風を吹付けて加湿蒸気を得ているが、大容量で大型のため高価で、消費電力も大きく維持費も高かった。本発明は加湿蒸気量は１／５程度でよいので、蒸発方法を簡易化して通風用の送風ファンを省く構造とした。
【０００４】
【課題を解決するための手段】上記目的を達成するため、後記する実施例の図面に示すように、電気ヒータ９、蒸発芯１０を共に円筒状とし、加熱導体８も含め一体化した。またケース１５内で発生する電気ヒータ９の放熱と加熱導体８の余熱はコーン１１で集め、下から上に向く強い熱対流をつくるようにし、確実に発生蒸気を加湿エア放出口１２から放出できるようにして、通風用の送風ファンを省いた。以上のような構成からなるミニ加湿器。
【０００５】
【発明の実施の形態】その実施形態を実施例の図面により説明すると、プラスチックや金属材でなる長方形で立方体の水タンク１の側面板底部に、同材でなる立方体で表面板に開口穴６を有する補助水タンク４を固着し、他側面板底部に排水口３を、表面板に注水口２を設け、該水タンク１の底部には同材でなるＬ字状の放水管５の一端を固着し、他端は該補助水タンク４の表面板を貫通して底面板に近接させるように固定し、銅や鉄材でなる丸棒でＵ字状の加熱導体８の一端にニクロム線と石綿等でなる円筒状の電気ヒータ９をはめ合い固定し、他端に紙や編糸材を縄様にしてなる円筒状の蒸発芯１０をはめ合い固定し、該電気ヒータ９が下部で該蒸発芯１０が上部となり垂直位置となるようにして、支持具１６を介してケース１５へ固着し、該蒸発芯１０の下部一端に紙や編糸材でなる吸水芯７を取付け、該開口穴６へ挿入して固定し、プラスチックや金属材でなるケース１５の表面板にはビニールや金属線材でなる網を取付けた加湿エア放出口１２を設け、側面板下部には同材でなる網を取付けた空気フィルター１３と排水口１４を設け、他側面等は該水タンク１に固着し、該加湿エア放出口１２の下部には該ケース１５の内で該蒸発芯１０に達し、その周囲を覆うようにプラスチックや金属材でなる角柱状で上部先端部分を絞ったコーン１１を固着する。
すなわち、（イ）長方形で立方体の水タンク１の側面板底部に、立方体で表面板に開口穴６を有する補助水タンク４を固着し、該水タンク１の底部にＬ字状の放水管５の一端を固着し、他端は該補助水タンク４の底面板に近接させる。
（ロ）Ｕ字状の加熱導体８の一端に電気ヒータ９をかん合固定し、他端には蒸発芯１０をかん合固定し、該電気ヒータ９が下部で該蒸発芯１０が上部で垂直位置になるようケース１５へ固着する。
（ハ）蒸発芯１０の下部一端には吸水芯７を取り付け、開口穴６へ挿入固定する。
（ニ）ケース１５の表面板には加湿エア放出口１２を設け、側面板下部には空気フィルタ１３を設け、他側面等は水タンク１に固着する。
（ホ）加湿エア放出口１２の下部には蒸発芯１０に達し、周囲を覆うように角柱状で上部を絞ったコーン１１を固着する。
本発明は上記のような構造としたので、使用時の動作状況は図１で分かるように、補助タンク４に溜まる水を吸水芯７が常時吸上げ、蒸発芯１０は常に湿っており、電気ヒータ９に電圧を加えると、加熱導体８は加熱され蒸発芯１０から蒸気が発生すると共に、電気ヒータ９の放熱と加熱導体８の余熱がコーン１１内で集まり、強い上昇気流をつくり、空気フィルタ１３から加湿エア放出口１２の方向へ対流を生じるので確実に発生蒸気を放出できる。また発生蒸気量の調整は電気ヒータ９の供給電圧の加減で行う。
【０００６】
【発明の効果】本発明は、上記のように構成したので次の効果がある。
（イ）必要蒸気量は家庭用加湿器の１／５程度でよいので加熱部、蒸発部を単純な構造とし一体化して小型化した。
（ロ）必要蒸気量に対し最小限の水分量を加熱すればよいので熱効率がよい。
（ハ）電気ヒータ９の放熱と加熱導体８の余熱をコーン１１で集め、上部になるほど密度が大きくなるようにしたので、空気フィルタ１３から加湿エア放出口１２へ強い対流を生じ、通風用の送風機を省くことができた。
（ニ）小型化したので、現在食料品売場に設置されている、薄いビニールシート袋用ポストに組込み一体化することができる。
（ホ）補助水タンク４の水位は低く、水は吸上芯７で蒸発芯１０に殆ど吸上げられているので運搬時等で水が漏れることがない。
（ヘ）発生蒸気量の調節は電気ヒータ９の供給電圧の加減で簡単に行える。
（ト）１００℃以上の加熱箇所はないので、焼損事故等が生ずることはない。
（チ）実験例によると、一日１２時間の営業として電気代は１７円（電気ヒータ６０Ｗ）、水の使用量は１．３リットル（蒸発量０．０３ｃｃ／ｓ）程度、加湿エアの放出温度は４５℃以下である。
【図面の簡単な説明】
【図１】本発明の斜視図（一部断面）である。
【符号の説明】
１  水タンク
２  注水口
３  排水口
４  補助水タンク
５  放水管
６  開口穴
７  吸上芯
８  加熱導体
９  電気ヒータ
１０  蒸発芯
１１  コーン
１２  加湿エア放出口
１３  空気フィルタ
１４  排水口
１５  ケース
１６  支持具
【図１】
2004309100.tif 000003